(57)【要約】      （修正有）【課題】災害発生等の緊急時における表示装置又はネットワーク回線等の故障に起因するユーザへの緊急情報の通知の漏れを低減する。【解決手段】異常検出装置５は、制御部４３、記憶部４５、一時記憶部４７、表示部５１、音声出力部５３、映像出力部５５、印刷部５７、通信部６１、操作部６３などの一般的なプリンタなどの端末装置に加えて、制御部４３に接続され異常検出信号を制御部４３に伝える異常検出部（センサ）４１が追加されている構成である。異常検出部４１は、震度センサ、加速度センサ、気圧センサ、ガスセンサ、放射能センサ、水漏れセンサ、温度センサ、火災センサなどのいずれか又は組み合わせにより構成されており、異常が発生したか否かを検知し、異常が発生したときに制御部４３に異常検知信号を送信する。【選択図】図３
2011100353.tif 000002
【特許請求の範囲】
【請求項１】
災害に基づく異常な現象をセンシングするセンサを含む異常検出部と、
通信ネットワークを介して電子機器と通信する通信部と、
前記電子機器との通信内容を判断する制御部と、
前記制御部が、前記電子機器が緊急情報送信センターからの緊急情報を取得できないと判断した場合に、前記異常検出部からの代替異常情報を前記表示部に表示させることを特徴とする異常検出装置。
【請求項２】
前記緊急情報を取得できないか否かの判断は、前記電子機器の表示部が利用できないとの情報の取得に基づくことを特徴とする請求項１に記載の異常検出装置。
【請求項３】
前記緊急情報を取得できないか否かの判断は、前記電子機器との通信が利用できないとの情報の取得に基づくことを特徴とする請求項１又は２に記載の異常検出装置。
【請求項４】
前記異常検出部が前記異常な現象の検出タイミング又は該検出タイミングからある時間だけ経過したタイミングにおいて、前記緊急情報を取得できない場合に前記緊急情報を取得できないと判断することを特徴とする請求項１から３までのいずれか１項に記載の異常検出装置。
【請求項５】
前記異常検出装置において、前記緊急情報の内容あるいは前記異常応答情報を印刷可能な印刷データを生成して印刷部に出力することを特徴とする請求項１から４までのいずれか１項に記載の異常検出装置。
【請求項６】
災害に基づく異常な現象をセンシングするセンサを含む異常検出部と、
通信ネットワークを介して電子機器と通信する通信部と、
前記電子機器との通信内容を判断する制御部と、
前記制御部が、前記電子機器が通信ネットワークを利用できないと判断した場合に、前記異常検出部からの代替異常情報を前記表示部に表示させることを特徴とする異常検出装
置。
【請求項７】
災害に基づく異常な現象をセンシングするセンサを含む異常検出部と、
通信ネットワークを介して電子機器と通信する通信部と、
前記電子機器との通信内容を判断する制御部と、
前記制御部が、前記電子機器が緊急情報送信センターからの緊急情報を取得できないと判断した場合に、前記異常検出部からの代替異常情報を、携帯情報機器に無線により通知することを特徴とする異常検出装置。
【請求項８】
災害に基づく異常な現象をセンシングするセンサを含む異常検出部と、
通信ネットワークを介して電子機器と通信する通信部と、
前記電子機器との通信内容を判断する制御部と、
前記制御部が、前記異常検出装置において、ネットワークが利用できないことを検出した場合には、前記異常検出部からの代替異常情報を、携帯情報機器に無線により通知することを特徴とする異常検出装置。
【請求項９】
電子機器と異常検出装置とを備えて構成される家庭内災害警告システムであって、
前記電子機器は、緊急情報送信センターからの緊急情報を取得して表示する緊急情報表示機能を有しており、
前記異常検出装置は、
災害に基づく異常な現象をセンシングするセンサを含む異常検出部と、
ネットワークを介して前記電子機器と通信する通信部と、
前記電子機器との通信内容を判断する制御部と、
前記電子機器の前記緊急情報表示機能が利用できないことを検出すると、前記異常検出部からの代替異常情報を前記表示部に表示させることを特徴とする家庭内災害警告システム。
【請求項１０】
電子機器と異常検出装置とを備えて構成される家庭内災害警告システムであって、
前記電子機器は、緊急情報送信センターからの緊急情報を取得して表示する緊急情報表示機能を有しており、
前記異常検出装置は、
災害に基づく異常な現象をセンシングするセンサを含む異常検出部と、
ネットワークを介して前記電子機器と通信する通信部と、
前記電子機器との通信内容を判断する制御部と、
前記ネットワークが利用できないことを検出すると、前記異常検出部からの代替異常情報を前記表示部に表示させることを特徴とする家庭内災害警告システム。
【請求項１１】
電子機器と異常検出装置とを備えて構成される家庭内災害警告システムであって、
前記電子機器は、緊急情報送信センターからの緊急情報を取得して表示する緊急情報表示機能を有しており、
前記異常検出装置は、
災害に基づく異常な現象をセンシングするセンサを含む異常検出部と、
ネットワークを介して前記電子機器と通信する通信部と、
前記電子機器との通信内容を判断する制御部と、
前記電子機器の前記緊急情報表示機能が利用できないことを検出すると、前記異常検出部からの代替異常情報を携帯情報端末に送信することを特徴とする家庭内災害警告システム。
【請求項１２】
電子機器と異常検出装置とを備えて構成される家庭内災害警告システムであって、
前記電子機器は、緊急情報送信センターからの緊急情報を取得して表示する緊急情報表示機能を有しており、
前記異常検出装置は、
災害に基づく異常な現象をセンシングするセンサを含む異常検出部と、
ネットワークを介して前記電子機器と通信する通信部と、
前記電子機器との通信内容を判断する制御部と、
前記ネットワークが利用できないことを検出すると、前記異常検出部からの代替異常情報を携帯情報端末に送信することを特徴とする家庭内災害警告システム。
【請求項１３】
災害に基づく異常な現象をセンシングする異常検出ステップと、
通信ネットワークを介して電子機器と通信する通信ステップと、
前記電子機器との通信内容を判断する制御ステップと、
前記制御ステップにおいて、前記電子機器が緊急情報送信センターからの緊急情報を取得できないと判断した場合に、前記異常検出ステップにおける代替異常情報を前記表示部に表示させることを特徴とする異常検出方法。
【請求項１４】
災害に基づく異常な現象をセンシングするセンサを含む異常検出ステップと、
通信ネットワークを介して電子機器と通信する通信ステップと、
前記電子機器との通信内容を判断する制御ステップと、
前記制御ステップにおいて、前記電子機器が通信ネットワークを利用できないと判断した場合に、前記異常検出ステップにおける代替異常情報を前記表示部に表示させることを特徴とする異常検出方法。
【請求項１５】
災害に基づく異常な現象をセンシングするセンサを含む異常検出ステップと、
通信ネットワークを介して電子機器と通信する通信ステップと、
前記電子機器との通信内容を判断する制御ステップと、
前記制御ステップにおいて、前記電子機器が緊急情報送信センターからの緊急情報を取得できないと判断した場合に、前記代替異常情報を、携帯情報機器に無線により通知するステップを有することを特徴とする異常検出方法。
【請求項１６】
災害に基づく異常な現象をセンシングするセンサを含む異常検出ステップと、
通信ネットワークを介して電子機器と通信する通信ステップと、
前記電子機器との通信内容を判断する制御ステップと、
前記制御ステップにおいて、前記異常検出ステップにおいて、ネットワークが利用できないことを検出した場合には、前記代替異常情報を、携帯情報機器に無線により通知するステップを揺することを特徴とする異常検出方法。
【請求項１７】
請求項１３から１６までのいずれか１項に記載の異常検出方法をコンピュータに実行させるためのプログラム。
【発明の詳細な説明】
【技術分野】
【０００１】
本発明は、異常検出装置及びそれを用いた災害警告システムに関し、より詳細には、放送波やネットワークを介して送信される緊急情報通知の通知漏れを抑制する技術に関する。
【背景技術】
【０００２】
地震等の災害発生時に、放送波やネットワークを介して送信される緊急情報通知を受信して、緊急情報通知に基づいて表示装置が起動指示され、表示装置の映像及び音声により通知することで、表示装置の非起動状態において緊急情報が放送されても、表示装置が自動的に起動して緊急情報を視聴者に提供する仕組みが提案されている。
【０００３】
下記特許文献１は、緊急時における緊急放送を自動受信するとともに、非常災害時の安否情報を速やかに取得し緊急情報として提供するために、通信回線を介して通知された緊急情報通知を受け取ると緊急情報の放送を受信し通知するものである。この緊急情報視聴端末は、放送受信手段、通信送受信手段、制御手段及び表示手段を備えて構成されている。
【０００４】
この端末では、地震等の災害発生時に外部の緊急情報送信装置から通信回線を介して送信される緊急情報通知を通信受信手段が受信し、制御手段が、緊急情報筒地に基づいて表示手段に起動指示を通知する。これに応じて、表示手段の映像出力部及び音声出力部が起動し、受信した緊急情報を映像出力部及び音声出力部が緊急情報の映像表示及び音声出力をそれぞれ行う。このため、非起動状態において緊急情報が放送された場合であっても、自動的に起動して緊急情報を視聴者に提供することが可能となっている。
【先行技術文献】
【特許文献】
【０００５】
【特許文献１】特開２００３−３４８０３４号公報（第９−１２貢、第３図）
【発明の概要】
【発明が解決しようとする課題】
【０００６】
上記特許文献１に記載の技術を用いると、通信回線を介して通知された緊急情報通知に基づいて表示装置に緊急放送を表示させるため、速やかな通知が可能となる。しかしながら、一般的な構造を有する表示装置は、液晶パネルなどが用いられることにより大型化とともに薄型化が進んでおり、その構造上倒れやすい。従って、地震などの災害発生が緊急情報通知よりも早く地震などの災害に起因して壊れるなど、緊急情報があることを通知できない場合があるという問題がある。
【０００７】
本発明は、かかる問題点に鑑みてなされたものであり、災害発生等の緊急時における表示装置又はネットワーク回線等の故障に起因するユーザへの緊急情報の通知の漏れを低減することを目的とする。
【課題を解決するための手段】
【０００８】
本発明は、家庭内での緊急警告システムに関するもので、緊急状態（例えば、地震、津波、土砂崩れなど）が発生し、既存に存在する緊急情報を表示する装置が故障した場合に、その故障を検知し、故障の場合にもユーザに緊急情報を提供する家庭内緊急警告システムに関する。
【０００９】
異常検出装置は、異常を異常検知部により検知した場合に、表示装置が利用できるかを表示装置に問い合わせする。この問い合わせの応答で、表示装置が利用できないことがわかった場合には、異常検出装置が、ネットワークを介して緊急情報を受信し、異常検出装置の表示部を利用して緊急情報を通知する。さらに、ネットワーク回線も故障していることを検知した場合には、異常検知部が検知した異常情報をもとに、異常応答情報を生成し、生成した異常応答情報を異常検出装置の表示部により通知する。
【００１０】
本発明の一観点によれば、災害に基づく異常な現象をセンシングするセンサを含む異常検出部と、通信ネットワークを介して電子機器と通信する通信部と、前記電子機器との通信内容を判断する制御部と、前記制御部が、前記電子機器が緊急情報送信センターからの緊急情報を取得できないと判断した場合に、前記異常検出部からの代替異常情報を前記表示部に表示させることを特徴とする異常検出装置が提供される。前記緊急情報を取得できないか否かの判断は、前記電子機器の表示部が利用できないとの情報の取得に基づくことを特徴とする。前記緊急情報を取得できないか否かの判断は、前記電子機器との通信が利用できないとの情報の取得に基づくことを特徴とする。前記異常検出部が前記異常な現象の検出タイミング又はそれからある時間だけ経過したタイミングにおいて、前記緊急情報を取得できない場合に前記緊急情報を取得できないと判断することを特徴とする。前記異常検出装置において、前記緊急情報の内容あるいは前記異常応答情報を印刷可能な印刷データを生成して印刷部に出力することを特徴とする。
【００１１】
また、災害に基づく異常な現象をセンシングするセンサを含む異常検出部と、通信ネットワークを介して電子機器と通信する通信部と、前記電子機器との通信内容を判断する制御部と、前記制御部が、前記電子機器が通信ネットワークを利用できないと判断した場合に、前記異常検出部からの代替異常情報を前記表示部に表示させることを特徴とする異常検出装置が提供される。
【００１２】
さらに、災害に基づく異常な現象をセンシングするセンサを含む異常検出部と、通信ネットワークを介して電子機器と通信する通信部と、前記電子機器との通信内容を判断する制御部と、前記制御部が、前記電子機器が緊急情報送信センターからの緊急情報を取得できないと判断した場合に、前記代替異常情報を、携帯情報機器に無線により通知することを特徴とする異常検出装置が提供される。
【００１３】
災害に基づく異常な現象をセンシングするセンサを含む異常検出部と、通信ネットワークを介して電子機器と通信する通信部と、前記電子機器との通信内容を判断する制御部と、前記制御部が、前記異常検出装置において、ネットワークが利用できないことを検出した場合には、前記代替異常情報を、携帯情報機器に無線により通知することを特徴とする異常検出装置が提供される。
【００１４】
本発明の他の観点によれば、電子機器と異常検出装置とを備えて構成される家庭内災害警告システムであって、前記電子機器は、緊急情報送信センターからの緊急情報を取得して表示する緊急情報表示機能を有しており、前記異常検出装置は、災害に基づく異常な現象をセンシングするセンサを含む異常検出部と、ネットワークを介して前記電子機器と通信する通信部と、前記電子機器との通信内容を判断する制御部と、前記電子機器の前記緊急情報表示機能が利用できないことを検出すると、前記異常検出部からの代替異常情報を前記表示部に表示させることを特徴とする家庭内災害警告システムが提供される。電子機器と異常検出装置とを備えて構成される家庭内災害警告システムであって、前記電子機器は、緊急情報送信センターからの緊急情報を取得して表示する緊急情報表示機能を有しており、前記異常検出装置は、災害に基づく異常な現象をセンシングするセンサを含む異常検出部と、ネットワークを介して前記電子機器と通信する通信部と、前記電子機器との通信内容を判断する制御部と、前記ネットワークが利用できないことを検出すると、前記異常検出部からの代替異常情報を前記表示部に表示させることを特徴とする家庭内災害警告システムが提供される。
【００１５】
また、電子機器と異常検出装置とを備えて構成される家庭内災害警告システムであって、前記電子機器は、緊急情報送信センターからの緊急情報を取得して表示する緊急情報表示機能を有しており、前記異常検出装置は、災害に基づく異常な現象をセンシングするセンサを含む異常検出部と、ネットワークを介して前記電子機器と通信する通信部と、前記電子機器との通信内容を判断する制御部と、前記電子機器の前記緊急情報表示機能が利用できないことを検出すると、前記異常検出部からの代替異常情報を携帯情報端末に送信することを特徴とする家庭内災害警告システムが提供される。
【００１６】
また、電子機器と異常検出装置とを備えて構成される家庭内災害警告システムであって、前記電子機器は、緊急情報送信センターからの緊急情報を取得して表示する緊急情報表示機能を有しており、前記異常検出装置は、災害に基づく異常な現象をセンシングするセンサを含む異常検出部と、ネットワークを介して前記電子機器と通信する通信部と、前記電子機器との通信内容を判断する制御部と、前記ネットワークが利用できないことを検出すると、前記異常検出部からの代替異常情報を携帯情報端末に送信することを特徴とする家庭内災害警告システムが提供される。
【００１７】
本発明の他の観点によれば、災害に基づく異常な現象をセンシングする異常検出ステップと、通信ネットワークを介して電子機器と通信する通信ステップと、前記電子機器との通信内容を判断する制御ステップと、前記制御ステップにおいて、前記電子機器が緊急情報送信センターからの緊急情報を取得できないと判断した場合に、前記異常検出ステップにおける代替異常情報を前記表示部に表示させることを特徴とする異常検出方法である。
【００１８】
また、災害に基づく異常な現象をセンシングするセンサを含む異常検出ステップと、通信ネットワークを介して電子機器と通信する通信ステップと、前記電子機器との通信内容を判断する制御ステップと、前記制御ステップにおいて、前記電子機器が通信ネットワークを利用できないと判断した場合に、前記異常検出ステップにおける代替異常情報を前記表示部に表示させることを特徴とする異常検出方法である。
【００１９】
また、災害に基づく異常な現象をセンシングするセンサを含む異常検出ステップと、通信ネットワークを介して電子機器と通信する通信ステップと、前記電子機器との通信内容を判断する制御ステップと、前記制御ステップにおいて、前記電子機器が緊急情報送信センターからの緊急情報を取得できないと判断した場合に、前記代替異常情報を、携帯情報機器に無線により通知するステップを有することを特徴とする異常検出方法である。
【００２０】
また、災害に基づく異常な現象をセンシングするセンサを含む異常検出ステップと、通信ネットワークを介して電子機器と通信する通信ステップと、前記電子機器との通信内容を判断する制御ステップと、前記制御ステップにおいて、前記異常検出ステップにおいて、ネットワークが利用できないことを検出した場合には、前記代替異常情報を、携帯情報機器に無線により通知するステップを揺することを特徴とする異常検出方法である。
【００２１】
本発明は上記に記載の異常検出方法をコンピュータに実行させるためのプログラムであっても良く、該プログラムを記録するコンピュータ読みとり可能な記録媒体であっても良い。該プログラムは、インターネットなどの伝送媒体によって取得されるものでも良い。
【発明の効果】
【００２２】
本発明によれば、地震などの災害発生により、表示装置が故障した場合に、緊急情報を通知でき、さらにネットワーク回線が故障している場合でも、異常を検知したことを通知することで、緊急情報をユーザへ確認するように促すため、ユーザへの緊急情報の通知の漏れを低減することができる。
【図面の簡単な説明】
【００２３】
【図１】本発明の第１の実施の形態による家庭内の災害警告システムＢとその周辺装置とを含む災害警告総合システムＡの一構成例を示す図である。
【図２】表示装置に一構成例を示す機能ブロック図である。
【図３】異常検出装置に一構成例を示す機能ブロック図である。
【図４】緊急情報送信センターの一構成例を示す機能ブロック図である。
【図５】緊急情報送信センター緊急情報の一例を示す図である。
【図６】異常検出装置の表示例を示す図である。
【図７】本実施の形態による異常検出システムの動作例を示す例である。
【図８】本発明の第２の実施の形態による家庭内の災害警告システムＢとその周辺装置とを含む災害警告総合システムＡの一構成例を示す図である。
【図９】携帯情報装置の一構成例を示す機能ブロック図である。
【図１０】携帯情報装置の外観構成例を示す図である。
【図１１】本実施の形態による異常検出システムの動作例を示す例である。
【図１２】本発明の第３の実施の形態によるシステム構成例を示す図である。
【発明を実施するための形態】
【００２４】
以下、本発明の実施の形態による異常検出技術について、図面を参照しながら説明を行う。
【００２５】
（第１の実施の形態）
まず、本発明の第１の実施の形態による異常検出技術について説明する。図１は、本発明の実施の形態による家庭内の災害警告システムＢとその周辺装置とを含む災害警告総合システムＡの一構成例を示す図である。図１に示すように、家庭内の災害警告システムＢは、電子機器、例えば表示装置１と、異常検出装置５と、アンテナ７などの通信インターフェイスを備えた通信装置（ブロードバンドルータなど）３と、を備えている。これらの装置１，３、５は、家庭内ＬＡＮなどによる接続されているのが一般的である。ここで、表示装置１は、通信機能を有する液晶テレビジョン受信装置（ＴＶ）等やセットトップボックス（ＳＴＢ）などである。また、通信装置３は、一般的なBroad  Band（ＢＢ）ルータ （ADSL/FTTH/CATV/ISDNなど）であり、もちろんモデムなどの機器でも良い。また、それぞれの機器との接続は、無線、有線のいずれでも良い。特に、無線の場合には、ＷｉＦｉ、Bluetoohなどが例示的に挙げられる。通信装置３は、ＬＡＮに接続するとともに、無線接続可能であるのが一般的である。尚、異常検出装置５については、以下において詳細に説明する。
【００２６】
緊急情報送信センターＣは、例えば、区役所等の自治体、気象庁、ガス会社、電力会社、水道局、電話局などのサーバーなどにより構成されており、緊急情報等を家庭に発信する。インターネットなどのネットワーク（ＮＴ）により、家庭内の災害警告システムＢと緊急情報送信センターＣとが接続されている。
【００２７】
図２に示すように、表示装置１は、アンテナ１１と、チューナ１５と、制御部（ＣＰＵ）１７と、記憶部（ＲＯＭなど、プログラム２１ａや各種データ２１ｂが記憶される。）２１と、一時記憶部（高速のＲＡＭなど）２３と、表示部（ディスプレイ）２５と、音声出力部２７と、映像出力部３１と、通信部３３と、操作部（リモコンなどを含む）３５と、電源部３７と、を有している。この表示装置１においては、ＢＳ／ＣＳ/地上波などの電波を受信して緊急情報を抽出し表示する機能と、ネットワーク線を利用して通信装置（ＢＢルータ）などを介して、家庭内から外のネットワークと送受信する通信機能及び緊急情報を受け取り表示する機能の両方を備えており、緊急情報に対して、両方から緊急情報を得ることができるように構成されている。
【００２８】
この表示装置１は、放送信号に緊急情報が含まれているとき、あるいは、通信回線を介して緊急情報を入力したとき、のいずれかの条件を満たしたときに、制御部１７が起動処理を実行することにより起動され、緊急情報を表示部２５に接続される音声出力部２７及び映像出力部３１によってユーザ（視聴者）に通知することができる。
【００２９】
地震等の災害発生時に、放送波やネットワークを介して送信される緊急情報通知を受信して、緊急情報通知に基づいて表示装置１が起動指示され、表示装置１で、映像及び音声により緊急情報を通知することにより、非起動状態において緊急情報が放送されても、表示装置１が自動的に起動して緊急情報を視聴者に提供することが可能となっている。
【００３０】
ここで、緊急情報とは、例えば、地震、津波、土砂崩れ、台風、洪水、噴火などに関係する情報であり、一般的にはこれらの災害の発生、及び規模、地域などを知らせる情報である。尚、通信部３３は、ＬＡＮ通信装置などによって構成され、無線、有線のいずれでも良い。
【００３１】
図３に示すように、異常検出装置５は、制御部４３、記憶部４５、一時記憶部４７、表示部５１、音声出力部５３、映像出力部５５、印刷部５７、通信部６１、操作部６３などの一般的なプリンタなどの端末装置に加えて、制御部４３に接続され異常検出信号を制御部４３に伝える異常検出部（センサ）４１が追加されている構成である。
【００３２】
異常検出部４１は、震度センサ、加速度センサ、気圧センサ、ガスセンサ、放射能センサ、水漏れセンサ、温度センサ、火災センサなどのいずれか又は組み合わせにより構成されており、異常が発生したか否かを検知し、異常が発生したときに制御部４３に異常検知信号を送信する。ここで、センサは、地震であれば振動を、ガス漏れであればガス濃度を、火災であれば、温度上昇や煙の発生を検出するセンサであり、災害に基づく異常な物理現象をセンシングするセンサである。
【００３３】
異常検知信号を受信した制御部４３は、通信部６１を利用して、表示装置１が利用可能であるかを問い合わせる。この問い合わせに対して、表示装置１から利用可能である旨の返信があれば、異常検出装置５における処理は終了する。
【００３４】
問い合わせに対して、表示装置１から利用できない旨の返信又は何らかの返信も無い場合には、表示装置１が利用できないということがわかる。この場合には、通信装置３への緊急情報受信があるか否か問い合わせする。問い合わせの応答メッセージの内容として、『緊急情報がある』という内容のメッセージである場合は、通信装置３から緊急情報を取得して、その緊急情報を表示部の音声出力部及び映像出力装置及び印刷部５７のうちの少なくともいずれかにより、その情報を出力する。出力の例については後述する。
【００３５】
通信装置３からの応答メッセージがない場合（通信装置３が故障していると判断する）、あるいは、応答メッセージの内容として、『緊急情報がない』という内容のメッセージである場合[通信回線（ＬＡＮ）事態が（災害などの影響で）故障している]には、異常検出部４１によって検出された異常検出情報をもとに、事前に記憶部４５（ハードディスクやＤＶＤ，ＦＬＡＳＨ、ＳＳＤなど）に予め登録されている異常応答情報（例えば、『地震が発生している可能性があります。緊急情報を取得できない状況です。至急何らかの手段で確認してください。』などのコーション表示）を選択して、表示部５１の音声出力部５３及び映像出力部５５及び印刷部５７での出力（いずれか一つでも良い。）により、その情報を出力する。出力の例については後述する。
【００３６】
異常検出装置５では、制御部４３が緊急情報の内容を印刷可能な印刷データを生成して印刷部５７に出力し、印刷データに基づく緊急情報の内容を印刷部５７に印刷させることにより、避難が必要な状況において、緊急情報を簡単に持ち運びできるようにしている。なお、異常検出装置５の通信部６１から表示装置１へブロードキャスト、あるいは、マルチキャストなどのアドレスによる問い合わせを行うことで、表示装置１が複数ある場合でも同様に処理することができる。図５は、災害情報の一例を示す図である。例えば、災害種別：地震、時刻：２００９年７月２５日、１８時５分、規模：震度３、地域：○×地方、付加情報：津波なし、などが含まれる。
【００３７】
図６を参照して、異常検出装置の表示画面例について説明する。図６（ａ）は、本実施の形態による異常検出装置の表示部に示される表示画面の一例を示す図である。この表示画面では、「表示装置の利用可能通知の応答が確認できません」との応答に関する通知の表示５１ａ、「午前○時、□地方で地震が発生しました。震源地は、××、マグニチュード  ○.○」との災害に関する内容の表示５１ｂ、「各地方の震度は、□□-震度☆、□□-震度☆」などの災害の詳細な程度に関する表示５１ｃ、とがなされている。この表示により、表示装置に何らかの異常が生じている可能性を示唆するとともに、その場合でも、独自の異常情報により災害情報などを提供することができる。
【００３８】
また、図６（ｂ）に示す表示部５１における異常検出装置の表示画面では、「通信回線が利用できない状況です。」との通信回線の利用状況に関する表示５１ｄと、「震度センサにより、震度○震度を感知しております。」との異常に関する表示５１ｅと、「地震が発生している可能性があります。緊急情報を取得できない状況です。至急何らかの手段で確認してください。」との異常の対応や詳細に関する表示５１ｆとが表示されている。
【００３９】
これらの表示により、表示装置や通信回線の異常による緊急情報の取得が放送や通信により取得できない場合においても、緊急情報に近い情報、いわば第２の緊急情報を得ることができるため、災害等に対応しやすくなるという利点がある。
【００４０】
尚、本実施の形態では、地震が発生したときの緊急情報を生成する例について説明しているが、津波、土砂崩れ、台風、洪水、噴火等の緊急情報が発生した場合にも同様に緊急情報が生成されることは、言うまでもない。
【００４１】
次に、上記異常検出装置よ、表示装置と通信装置とにおける処理の流れについて説明する。図７に示すように、異常検出装置では、異常検出部による異常検出を検知しているか常に待っている（ステップＳ１、ステップＳ２）。異常が発生したときには（ステップＳ２でＹｅｓ）、表示装置へ利用可能であるかを問い合わせる（ステップＳ３、Ｌ１）。また、ここで、メッセージを送信後に時間の計測をタイマなどにより開始する。ある一定時間以内に、応答メッセージがあり、その応答メッセージ内容が『表示装置は利用可能である』と言う内容のメッセージであれば（ステップＳ４でＹｅｓ）、処理は終了する。ここで、表示装置は、放送信号、あるいは、通信回線を介して受信した緊急情報を、表示部の音声出力及び映像出力部によって視聴者（ユーザ）へ通知する（ステップＳ１１）。
【００４２】
上記の一定時間を越えるか、あるいは、『表示装置は利用可能できない』と言う内容のメッセージを受信した場合には（ステップＳ４でＮｏ、Ｌ２）、次に、通信装置への緊急情報受信があるか問い合わせを行う（ステップＳ５、Ｌ３）。また、ここで、メッセージを送信後にタイマにより時間の計測を開始する。
【００４３】
ある一定時間以内に、応答メッセージがあり、かつ、その応答メッセージが『緊急情報あり』と言う内容のメッセージである場合には（ステップＳ６でＹｅｓ）、通信装置から緊急情報を取得し、その緊急情報を表示部の音声出力部及び映像出力部及び印刷部でその情報を出力する（ステップＳ７）。出力するのはいずれか一つでも良い。
【００４４】
上記の一定時間を越えるか、あるいは、応答メッセージが『緊急情報がない』という内容のメッセージである場合[通信回線（ＬＡＮ）事態が（災害などの影響で）故障している]には（ステップＳ６でＮｏ）、ステップＳ８において、異常検出部によって検出した異常検出情報を元に、事前に記憶部（ハードディスクやＤＶＤ，ＦＬＡＳＨ、ＳＳＤ）などに予め登録されている異常応答情報（例えば、『地震が発生している可能性があります。緊急情報を取得できない状況です。至急何らかの手段で確認してください。』）を選択して、表示部の音声出力部及び映像出力部及び印刷部でその情報を出力する（いずれか一つでも良い）。
【００４５】
以上に説明したように、本実施の形態による異常検出技術によれば、地震などの災害発生により、表示装置が故障した場合に、緊急情報を通知でき、ユーザへの緊急情報の通知の漏れを低減することができるという利点がある。
【００４６】
次に、本発明の第２の実施の形態による異常検出技術について説明する。図８は、本実施の形態による家庭内災害警告システムＢ’と、その周辺装置とを含む災害警告総合システムＡ’の図１とは別の構成例を示す図である。
【００４７】
図８に示すように、本実施の形態による家庭内の災害警告システムＢ’は、表示装置１と、異常検出装置５と、アンテナ７などの通信インターフェイスを備えた通信装置（ブロードバンドルータなど）３と、に加えて、アンテナ１０３を含む携帯情報装置１０１を備えている。表示装置１は、基本的に第１の実施の形態による表示装置と同じ構成であっても良い。但し、表示装置１では、その通信部３３において、図９に示す携帯情報装置１０１との間で、通信を行うことも可能である。すなわち、通信部３３は、ＬＡＮ経由の通信と、携帯電話網などの無線通信と、を行うことができるようになっていても良い。携帯情報装置１０１により、表示装置１の映像などを視聴できるようになっていても良い。
【００４８】
また、通信装置３は、一般的なBroad Bandルータ （ADSL/FTTH/CATV/ISDNなど）を用いることができる。或いは、モデムなどでも良い。また、それぞれの機器１，５、１０１などとの接続は、無線、有線のいずれにも限定されない。無線の場合には、ＷｉＦｉ、ＢｌｕｅｔｏｏｔｈなどＩＰ上での通信が可能であるが利用可能である。
【００４９】
図９、図１０に示すように、携帯情報装置１０１は、無線での通信部１０５（アンテナ１０３を含む）を備えており、この通信部を介して、異常検出装置５からの情報を受信することができる（通信部１０５は、例えば、ＷｉＦｉ、Ｂｌｕｅｔｏｏｔｈなどで構成可能である）。携帯情報装置１０１は、例えば携帯電話機などの携帯端末装置、ＰＤＡ、ＰＣ、カードなどであって、携帯電話と同様な携帯電話網などを用いた通信機能を有する通信回路を備えた携帯装置であっても良く、その形態を限定するものではない。図９、図１０に示す構成は、第１の筐体１１２ａと第２の筐体１１２ｂとが、ヒンジ部を回転軸として折り畳み可能な構成を有している。第１の筐体１１２ａには、アンテナ１０３、センサ、操作部１２１が、第２の筐体１１２ｂには表示部１１５が設けられているのが一般的であるが、この構成に限定されるものではない。このように、携帯情報装置１０１は、アンテナ１０３と、通信部１０５と、制御部（ＣＰＵ）１０７と、記憶部１１１と、一時記録部１１３と、表示部１１５と、映像出力部１１７、音声出力部１１９と、操作ボタンや方向キー・決定ボタンなどを有する操作部１２１とを有している（これらの構成は、一般的な携帯電話機の構成であり、これを利用することができる）。
【００５０】
表示装置、異常検出装置は、基本的に、図２、図３にそれぞれ示す表示装置、異常検出装置と同じ構成を有していても良い。また、緊急情報送信センターは、例えば、区役所等の自治体、気象庁、ガス会社、電力会社、水道局、電話局などのサーバーなどから構成されている。
【００５１】
異常検出装置５の異常検出部（センサ）４１からの異常検知信号を受信した制御部１０７は、通信部６１を利用して、表示装置１が利用可能であるかを問い合わせる。問い合わせに対して、利用可能であれば、処理は終了する。
【００５２】
表示装置１が利用できない場合には、通信装置３への緊急情報受信があるか問い合わせする。問い合わせの応答メッセージの内容として、『緊急情報がある』という内容のメッセージである場合は、通信装置３から緊急情報を取得して、その緊急情報を通信部３３ａを利用して、通信装置３を介して携帯情報装置１０１へ緊急情報を送信する。これらの動作については後述する。応答メッセージの内容として、『緊急情報がない』という内容のメッセージである場合は、異常検出部４１によって検出した異常検出情報を元に、事前に記憶部４５（ハードディスクやＤＶＤ，ＦＬＡＳＨ、ＳＳＤ）などに予め登録されている異常応答情報（例えば、『地震が発生している可能性があります。緊急情報を取得できない状況です。至急何らかの手段で確認してください。』）を選択して、その異常応答情報を通信部６１を利用して、通信装置３を介して携帯情報装置１０１へ送信する。尚、通信装置３を介さないでダイレクトに携帯情報装置１０１に送信する携帯であっても良い。この処理に関しても後述する。通信装置３からの応答メッセージがない場合（通信装置３が故障と判断する場合）には、上記の異常応答情報を異常検出装置５の表示部５１の音声出力部５３及び映像出力装置５５及び印刷部５７での出力（いずれか一つでも良いし、組み合わせでも良い）でその情報を出力する。
【００５３】
本実施の形態による異常検出装置５では、制御部４３が緊急情報の内容を印刷可能な印刷データを生成して印刷部５７に出力することにより、印刷データに基づく緊急情報の内容を印刷部に印刷させることで、避難が必要な状況において、緊急情報を簡単に持ち運びすることができる。
【００５４】
尚、表示装置１が複数ある場合にも、異常検出装置５の通信部６１から表示装置１へ問い合わせをブロードキャスト、あるいは、マルチキャストなどのアドレスによる問い合わせを行うことで、対応することができる。
【００５５】
携帯機器装置１０１は、異常検出装置５からの緊急情報を、通信装置３を介して、（電波によって）、アンテナ１０３を通して通信部１０５で受信し、その緊急情報を表示部１１５の音声出力部１１９及び映像出力部１１７によって出力することができる。
【００５６】
また、携帯機器装置は、異常検出装置からの異常応答情報を、通信装置を介して、（電波によって）、アンテナを通して通信部に受信し、その異常応答情報を表示部の音声出力及び映像出力部によって出力する。
【００５７】
緊急情報送信センターＣ’の構成を、は、例えば、区役所などの自治体、気象庁、ガス会社、電力会社、水道局等のサーバー等から構成されている。なお、本実施の形態では、説明の便宜上、１つの緊急情報送信センターの構成を図示している。その記憶部、災害情報取得部の構成、機能等は、第１の実施の携帯と同様である。異常検出装置の表示画面の例も、図６（ａ）、図６（ｂ）と同様である。
【００５８】
図１１は、図７に対応する図であり、異常検出装置、表示装置、通信装置、携帯情報装置間のやり取りの様子を示す図である。
【００５９】
異常検出装置の異常検出部においては、異常検出を検知しているか常に待っている（ステップＳ２１、Ｓ２２）。異常が発生したときには（ステップＳ２２でＹｅｓ）、表示装置へ利用可能であるかを問い合わせる（ステップＳ２３、Ｌ５）。また、ここで、メッセージを送信後にタイマにより時間の計測を開始する。
【００６０】
次いで、ある一定時間以内に応答メッセージがあり、その応答メッセージ内容が『表示装置は利用可能である』と言う内容のメッセージであれば（Ｌ６）、処理は終了する（ステップＳ２４でＹｅｓ）。ここで、表示装置は、放送信号、あるいは、通信回線を介して受信した緊急情報を、表示部の音声出力及び映像出力部によって視聴者（ユーザ）へ通知する （ステップＳ４１）。 Ｌ６で、表示装置が壊れていると通知がこない。Ｌ５の問い合わせメッセージを行った後にある一定時間を越えるか、あるいは、『表示装置は利用可能できない』と言う内容のメッセージを受信した場合には（ステップＳ２４でＮｏ）、ステップＳ２５において、通信装置に対して、緊急情報受信があるか否かの問い合わせを行う（Ｌ７）。また、ここで、Ｌ７の問い合わせメッセージを送信後にタイマにより時間の計測を開始する。ある一定時間以内に、問い合わせメッセージＬ７に対する応答メッセージがあると（通信装置が壊れていると通知がこない）、緊急情報が取得できることになり（ステップＳ２６でＹｅｓとなり）、ステップＳ２９に進み、緊急情報を取得し、メッセージを通信装置に要求する（Ｌ９）。通信装置から緊急情報が異常検出装置に通知される（Ｌ１０）。次いで、ステップＳ３０に進み、異常検出装置は、通信部を利用して、通信装置を介して緊急情報を携帯情報装置へ送信する（Ｌ１１）。すると、携帯情報装置において、異常検出装置から、通信装置を介して（電波によって）、アンテナを通して通信部に受信した緊急情報を、その表示部の音声出力部及び映像出力部によって出力する。これにより、携帯情報装置のユーザは、緊急情報を知ることができる（ステップＳ３５）。
【００６１】
ステップＳ２６において、ある一定時間以内に応答メッセージがないか、応答メッセージがあり、かつ、その応答メッセージが『緊急情報がない』という内容のメッセージである場合（通信回線（ＬＡＮ）自体が（災害などの影響で）故障している）には（ステップＳ２６でＮｏ、ステップＳ２７でＹｅｓ）、ステップＳ３１に進み、異常検出部によって検出した異常検出情報を元に、事前に記憶部（ハードディスクやＤＶＤ，ＦＬＡＳＨ、ＳＳＤ）などに予め登録されている異常応答情報（Ｌ１２の異常応答情報：例えば、『地震が発生している可能性があります。緊急情報を取得できない状況です。至急何らかの手段で確認してください。』）を選択して、その異常応答情報を、通信部を利用して、通信装置を介して携帯情報装置へ送信する。ここで、ステップＳ３６において、携帯情報装置は、異常検出装置から通信装置を介して、（電波によって）、アンテナを通して通信部に受信した異常応答情報を表示部の音声出力及び映像出力部によって出力される。
【００６２】
一方、ステップＳ２７において、一定時間以内に、応答メッセージがあった場合（Ｎｏ：通信装置が故障と判断する）は、上記の異常応答メッセージを異常検出装置の表示部の音声出力部及び映像出力部及び印刷部でその情報を出力する。この場合の出力は、いずれか一方でも良い。
【００６３】
このように、本実施の形態では、異常検出装置において、表示装置が利用できないことを検出した場合には、異常検出装置において検出した代わりの緊急情報を、携帯情報機器に通知する。或いは、異常検出装置において、通信部のネットワークが利用できない場合には、異常検出装置において検出した代わりの緊急情報を、通信部を利用して、携帯情報機器に通知することができる。これにより、例えば、異常検出装置を直接見ることができない外出先などにおいても、異常情報を知ることができる。携帯情報端末の表示部における異常を知らせる表示例も、図６（ａ）、図６（ｂ）と同様であるため、これらの説明を援用する。
【００６４】
このように、本実施の形態によれば、ネットワーク回線の故障などの通信状況のトラブルが発生している場合でも、異常を検知したことを通知することができるため、緊急情報をユーザへ確認するように促し、ユーザへの緊急情報の通知の漏れを低減することができるという利点がある。
【００６５】
次に、本発明の実施の形態の変形例について説明する。図１２は、本発明の変形例によるシステム構成の一例を示す図である。図１２に示す家庭内災害警告システムを含むシステムは、図１、図８の家庭内災害警告システムＢ、Ｂ’の変形例によるシステムの例である。特に、第２の実施の形態において、異常検出装置のセンサが、家庭内のプリンタと、家庭内の固定電話に設けられ、表示装置（テレビ）１が故障している場合には、プリンタ３００の電源が入っている場合には、そのセンサ３０３が検出した情報を通信部３０７から携帯電話１０１に通信するが、プリンタの電源が落ちている場合には、固定電話２００のセンサ２０３が検出した情報を携帯電話１０１に通知するものである。また、通信回線が故障している場合には、固定電話２００の電話通信網を利用して、固定電話２００のセンサ２０３が検出した災害情報を携帯電話に通知するものである。このように、センサを備える装置２００と、出力装置３００と、が一致していなくても良いし、いずれの装置にもセンサ（異なるセンサ含む）を備えておいても良い。このように、本実施の形態によるシステムは、種々の状況に対応できる可能性を有している。
【００６６】
本発明による装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００６７】
また、図１等の各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態について図面を参照して詳述してきたが、具体的な構成はこの実施の形態に限られるものではなく、この発明の要旨を逸脱しない範囲の設計変更等された発明も含まれる。
【産業上の利用可能性】
【００７０】
本発明は、異常検出装置として利用可能である。
【符号の説明】
【００７１】
Ａ…災害警告総合システム、Ｂ…家庭内の災害警告システム、１…表示装置、３…通信装置、５…異常検出装置、７…アンテナ、４１…異常検出部（センサ）、４３…制御部、４５…記憶部、４７…一時記憶部、５１…表示部、５３…音声出力部、５５…映像出力部、６１…通信部、６３…操作部。
【図１】
2011100353.tif 000003
【図２】
2011100353.tif 000004
【図３】
2011100353.tif 000005
【図４】
2011100353.tif 000006
【図５】
2011100353.tif 000007
【図６】
2011100353.tif 000008
【図７】
2011100353.tif 000009
【図８】
2011100353.tif 000010
【図９】
2011100353.tif 000011
【図１０】
2011100353.tif 000012
【図１１】
2011100353.tif 000013
【図１２】
2011100353.tif 000014